(57)【特許請求の範囲】
【請求項１】
両側縁部を内側に折込んだ状態でシート状に折り畳まれた袋体の口部を開口する開口手段と、該袋体の口部を上面側が開口された容器の外側に折返す折返し体と、該袋体底部を該容器内部の底面部に押圧する押込み体からなる装填手段を備え、上記開口手段により上記袋体を開口し、上記装填手段により上記袋体を上記容器内部に対して装填する袋敷設装置であって、
上記開口手段の前段に、上記袋体の開口側周縁部を挾持して該開口手段により保持可能な状態に開口する予備開口手段を備え、
上記予備開口手段を、上記袋体の両側縁部と対向して該縁部の折込み部分に対して挿入される一対の挿入体と、上記折込み部分の両側縁部と対向して該縁部を挿入体に対して押圧する一対の押圧体とを設けると共に、上記折込み部分の両側縁部を保持する前後の挿入体及び押圧体を、上記袋体の口部が開口される方向に対して相対移動可能に設けて構成し、
上記装填手段を、上記開口手段により開口した袋体の口部を保持する位置と、該袋体の口部を容器の開口側周縁部に被覆する位置とに上下動する複数の上記折返し体を設けると共に、上記折返し体の降下途中に、該折返し体を袋体の口部に対して挿入される集合状態と、該袋体の口部を容器の開口側周縁部に対して被覆される大きさに拡張する離間状態とに移動する拡縮機構を設けて構成したことを特徴とする
袋敷設装置。
【請求項２】
上記装填手段において、上記折返し体が上記袋体を容器に収容するとき該袋体を容器の開口側周縁部よりも内側に収容される大きさに保持する袋保持手段である
請求項１記載の袋敷設装置。
【請求項３】
上記装填手段の下部に、上記容器を搬送する搬送手段を設けると共に、
上記搬送手段を、上記容器のサイズに略対応して該容器の開口側縁部が常時一定となる高さに上下動可能に設けた
請求項１又は２記載の袋敷設装置。
【発明の詳細な説明】
【０００１】
【発明の属する技術分野】
この発明は、例えば段ボール紙製又は厚紙製の箱体、合成樹脂製又は金属製のコンテナケース等の容器内部に、合成樹脂や紙等の単一又は複合した材質で形成した袋体を敷設する作業に用いられる袋敷設装置に関する。
【０００２】
【従来の技術】
従来、上述例の合成樹脂製の袋体を開口する方法としては、例えば図１３に示すように、左右一対の吸着パッド８０を袋体Ｆの口部Ｆａ両側面に押圧して、吸着パッド８０の吸気孔８０ａに生じる負圧により袋体Ｆの口部Ｆａを吸着保持して開口する方法がある。
【０００３】
【発明が解決しようとする課題】
しかし、上述した袋体Ｆの口部Ｆａ内面は、袋体Ｆ内面に付着する水分や油分、或いは、袋体Ｆ自体に生じる静電気により隙間無く密着しているため、吸着パッド８０を袋体Ｆの口部Ｆａ側面に押圧すると、口部Ｆａ内面が積極的に密着され、開口時の剥離抵抗が大きくなる。
【０００４】
且つ、袋体Ｆの口部Ｆａが吸着パッド８０の押圧力により幅方向に引き伸ばされ、その押圧部分に多数の皺が発生するため、口部Ｆａ内面に生じる剥離抵抗が大きくなり、ブロックキング現象の生じる部分が拡大するため、開口作業が困難になるという問題点を有している。
【０００５】
また、吸気孔８０ａに生じる負圧を大きくすると、袋体Ｆの口部Ｆａ側面が吸着パッド８０の吸気孔８０ａに吸い込まれやすくなり、一方の吸着パッド８０側に袋体Ｆが吸い寄せられてしまうため、袋体Ｆの口部Ｆａを左右均等に開口することが困難であるという問題点も有している。
【０００６】
この発明は上記問題に鑑み、予備開口手段を駆動して、シート状に折り畳まれた袋体の開口側周縁部を挾持して開口することにより、袋体を開口する作業及び容器内部に敷設する作業が何等支障なく行える袋敷設装置の提供を目的とする。
【０００７】
【課題を解決するための手段】
請求項１記載の発明は、両側縁部を内側に折込んだ状態でシート状に折り畳まれた袋体の口部を開口する開口手段と、該袋体の口部を上面側が開口された容器の外側に折返す折返し体と、該袋体底部を該容器内部の底面部に押圧する押込み体からなる装填手段を備え、上記開口手段により上記袋体を開口し、上記装填手段により上記袋体を上記容器内部に対して装填する袋敷設装置であって、上記開口手段の前段に、上記袋体の開口側周縁部を挾持して該開口手段により保持可能な状態に開口する予備開口手段を備え、上記予備開口手段を、上記袋体の両側縁部と対向して該縁部の折込み部分に対して挿入される一対の挿入体と、上記折込み部分の両側縁部と対向して該縁部を挿入体に対して押圧する一対の押圧体とを設けると共に、上記折込み部分の両側縁部を保持する前後の挿入体及び押圧体を、上記袋体の口部が開口される方向に対して相対移動可能に設けて構成し、上記装填手段を、上記開口手段により開口した袋体の口部を保持する位置と、該袋体の口部を容器の開口側周縁部に被覆する位置とに上下動する複数の上記折返し体を設けると共に、上記折返し体の降下途中に、該折返し体を袋体の口部に対して挿入される集合状態と、該袋体の口部を容器の開口側周縁部に対して被覆される大きさに拡張する離間状態とに移動する拡縮機構を設けて構成した袋敷設装置であることを特徴とする。
【０００８】
請求項２記載の発明は、上記請求項１記載の構成と併せて、上記装填手段において、上記折返し体が上記袋体を容器に収容するとき該袋体を容器の開口側周縁部よりも内側に収容される大きさに保持する袋保持手段である袋敷設装置であることを特徴とする。
【０００９】
請求項３記載の発明は、上記請求項１又は２記載の構成と併せて、上記装填手段の下部に、上記容器を搬送する搬送手段を設けると共に、上記搬送手段を、上記容器のサイズに略対応して該容器の開口側縁部が常時一定となる高さに上下動可能に設けた袋敷設装置であることを特徴とする。
【００１０】
【作用及び効果】
この発明によれば、シート状に折り畳まれた袋体の開口側周縁部を予備開口手段により挾持して強制的に開口するので、袋体の内面が密着したり、ブロッキング現象が生じる等しても、何等影響を受けることなく確実に開口することができ、開口ミスの発生率が極めて小さく、袋体を開口する作業と、容器内部に敷設する作業とが確実に行える。
【００１１】
しかも、袋体の口部を折返す作業がミスなく行えると共に、袋体を破損させることなく、容器内部に対してスムースに敷設することができ、敷設作業の能力アップを図ることができる。
【００１２】
【実施例】
この発明の一実施例を以下図面に基づいて詳述する。
図面は容器の一例として、上面側を開口した箱体内部に袋体を敷設する作業に用いられる袋敷設装置を示し、図１及び図２に於いて、この袋敷設装置１は、原反供給路の始端部に、筒状のフィルム原反ｆを供給する供給機構１０を設け、供給機構１０後部に、フィルム原反ｆを予備開口する予備開口機構２０と、フィルム原反ｆを所定長さに分離する分離機構３０とを設け、分離機構３０上部に、袋体Ｆを所定長さに引上げる引上げ機構４０と、袋体Ｆを開口する開口機構５０とを設け、開口機構５０の側部に、搬送コンベア７０上の装填位置ｂに搬送された箱体Ｂ内部に袋体Ｆを装填する装填機構６０を設けている。
【００１３】
上述の供給機構１０は、例えばガゼット折り状態（両側縁部を内側に折込んだ状態）に折り畳んだままロール状に巻回した合成樹脂製のフィルム原反ｆを、原反供給路の始端部に設けた装填部１１に装填し、その装填部１１から引出したフィルム原反ｆを、ガイドロール１２と、送りロール１３と、押えロール１４と、ダンサーロール１５との回転力により、供給機構１０後段の分離位置ａに設けた予備開口機構２０と分離機構３０とに供給する。また、フィルム原反ｆに代えて、例えば所定サイズに形成した袋体Ｆを１枚ずつ供給したり、紙製又は合成樹脂を複合した袋体Ｆを供給してもよい。
【００１４】
分離位置ａ前段に設けた支持ロール１８は、送り方向に対して回動可能に枢着したアーム１９の遊端部に軸架され、フィルム原反ｆを、分離機構３０に対して供給される方向にガイドする。
【００１５】
前述の予備開口機構２０は、図３にも示すように、開口ユニット２１を、分離位置ａに供給されるフィルム原反ｆの開口側四隅縁部と対向して配設し、フィルム原反ｆの両側縁部を、後述する引上げ機構４０で引上げ可能な状態に予備開口する。
【００１６】
上述の開口ユニット２１は、フィルム原反ｆの折込み部分（谷間部分）に対して略垂直に挿入される一対の挿入体２２と、その挿入体２２に対してフィルム原反ｆの角隅縁部を押圧する一対の押圧体２３とで構成される。
【００１７】
押圧体２３は、図７、図８にも示すように、所定の駆動手段（図示省略）によりフィルム原反ｆを押圧する押圧状態と、その押圧が解除される解除状態とに回動され、挿入体２２及び押圧体２３の全体は、フィルム原反ｆの折込み部分に対して挿入体２２が略垂直に挿入される近接状態と、後述する引上げ機構４０による保持が許容される離間状態とに相対移動される。
【００１８】
前述の分離機構３０は、分離位置ａに供給されるフィルム原反ｆの前後面と対向して押え部材３１及び加熱ヘッド３２と、受け部材３３及び切断刃３４とを配設している。
【００１９】
上述の押え部材３１及び加熱ヘッド３２は、駆動手段によりフィルム原反ｆに押圧される状態と、後述する引上げユニット４１の上下動が許容される間隔に離間した状態とに前後動される。加熱ヘッド３２は、部材３１，３３で保持されたフィルム原反ｆを幅方向に熱シールする。一方、切断刃３４は、フィルム原反ｆと対向して幅方向に水平移動され、熱シールしたフィルム原反ｆの下位部分を幅方向に切断して、箱体Ｂのサイズに略対応して一つの袋体Ｆに分離する。
【００２０】
前述の引上げ機構４０は、引上げユニット４１を、前述の予備開口機構２０により開口されるフィルム原反ｆの両側縁部と対向して配設し、所定の昇降手段（図示省略）により開口ユニット２１により開口保持されたフィルム原反ｆの折込み部分を保持する降下位置と、その折込み部分を後述する開口ユニット５１により保持される上昇位置とに上下動する。
【００２１】
上述の引上げユニット４１は、図８にも示すように、前述の開口ユニット２１により予備開口されたフィルム原反ｆの折込み部分（谷間部分）に挿入される先細形状に形成した挿入体４２と、その挿入体４２に対してフィルム原反ｆの角隅縁部を押圧する板状に形成した一対の押圧体４３とで構成され、押圧体４３は、駆動手段によりフィルム原反ｆを押圧する押圧状態と、その押圧が解除される解除状態とに回動される。
【００２２】
前述の開口機構５０は、図４にも示すように、前後一対の開口ユニット５１を、前述の引上げユニット４１よりも外側で、後述する装填ユニット６１の上下動が許容される間隔に隔てて引上げ機構４０の上方両側部に架設し、駆動手段により前述の引上げユニット４１により引上げられたフィルム原反ｆ又は袋体Ｆの開口側四隅縁部が保持される後退位置（分離位置ａ上方）と、その開口側縁部が後述する装填ユニット６１により保持される前進位置（搬送コンベア７０上に設定した装填位置ｂ上方）とに独立又は連動して水平移動する。
【００２３】
上述の開口ユニット５１は、図９、図１０にも示すように、前述の引上げユニット４１により開口された袋体Ｆの開口側四隅縁部と対向する位置に一対の保持体５２を取付けて構成される。一対の保持体５２は、駆動手段によりフィルム原反ｆ又は袋体Ｆの角隅縁部を保持する閉状態と、その保持が解除される開状態とに開閉動作される。且つ、引上げユニット４１により引上げられた袋体Ｆの開口側縁部を保持する降下位置と、引上げユニット４１による引上げ動作が許容される上昇位置とに上下動される。
【００２４】
なお、挿入体２２，４２と、押圧体２３，４３と、保持体４２との押圧面には、例えば合成ゴムや軟質樹脂等の接触抵抗の大きい滑止め部材を装着している。
【００２５】
前述の装填機構６０は、装填ユニット６１を、前述の開口機構５０により開口される袋体Ｆの口部Ｆａと対向して装填位置ｂ上方に架設し、昇降手段により前述の開口ユニット５１による開口動作が許容される上昇位置と、開口ユニット５１により開口した袋体Ｆの口部Ｆａが後述する折返し体６２により保持される中間位置と、折返し体６２により保持した袋体Ｆの口部Ｆａが箱体ＢのフラップＢａ…に被覆される降下位置との間で上下動する。
【００２６】
上述の装填ユニット６１は、前述の開口ユニット５１により開口された袋体Ｆの口部Ｆａを保持する爪状の折返し体６２と、袋体Ｆを箱体Ｂ内部と略対応する大きさに拡張する板状の押込み体６３とで構成される。
【００２７】
折返し体６２は、装填ユニット６１下部に取付けた枠体６１ａの下面側四隅部に垂設され、後述するリンク機構６４により前述の開口ユニット５１により開口された袋体Ｆの口部Ｆａ及び箱体ＢのフラップＢａ…よりも内側に対して挿入される集合状態と、その口部Ｆａを、箱体ＢのフラップＢａ…に被覆される大きさに拡張及び保持する離間状態とに対角線方向に対して拡縮動作される。
【００２８】
一方、押込み体６３は、箱体ＢのフラップＢａ…よりも内側に挿入される大きさで、枠体６１ａ下部に取付けた枠体６１ｂの対向辺（又は四辺）に対して略鉛直に立設され、袋体Ｆを、箱体Ｂ内部と略対応する大きさに拡張する。且つ、枠体６１ｂは、枠体６１ａに対して上下動可能に軸受された支軸６１ｃの下端部に固定され、枠体６１ｂ下面に取付けた押込み体６３は、袋体Ｆ底部を箱体Ｂの底面部に押圧する。また、押込み体６３を、箱体Ｂ内部と略対応する大きさに拡縮動作又は拡縮調節してもよい。
【００２９】
上述のリンク機構６４は、折返し体６２…の基端部と、装填ユニット６１側部に枢着したアーム６５の基端部とを複数のリンク６６…で連結し、袋体Ｆの口部Ｆａが箱体ＢのフラップＢａ…に被覆される前に、アーム６５の遊端部を、降下途中に架設したカム６７に当接して、折返し体６２…を対角線方向に対して拡縮移動させ、袋体Ｆの口部Ｆａを所定サイズに拡張する。装填ユニット６１を上昇したとき、折返し体６２…は元の状態に復帰する。
【００３０】
前述の搬送コンベア７０は、図５、図６にも示すように、箱体Ｂが載置される間隔に隔てて搬送方向に張架した複数本の送りベルト７１を、減速機付きモータ（図示省略）により送り方向に同期回転して箱体Ｂを搬送する。且つ、装填位置ｂ下部に配設したストッパー７２は、装填位置ｂに搬送される箱体Ｂの底部前面に当接される突出状態と、搬送が許容される没入状態とに上下動される。また、上述の搬送コンベア７０（ベルトコンベア）を、例えばローラコンベア、チェーンコンベア等の搬送手段で構成してもよい。
【００３１】
且つ、搬送コンベア７０の中央部７０ａは上下方向に対して昇降可能に設けられ、例えばネジ軸やチェーン等を手動式のハンドル又は電動式のモータにより正逆回転して、箱体Ｂのサイズに略対応して、箱体Ｂの開口側周縁部に起立するフラップＢａ…が常時一定となる高さに昇降調節する。搬送コンベア７０の前後端部７０ｂは、中央部７０ａの上下動に追従して引き寄せられ、箱体Ｂの搬送が許容される角度に傾斜される。
【００３２】
一方、装填位置ｂの前後両側部には、箱体Ｂの角隅部外面と略合致する形状に形成した支持体７４を、箱体Ｂの四隅部外面と対向して配設している。支持体７４…は、箱体ＢのフラップＢａ…を略鉛直に起立した状態に支持する前進位置と、その支持が解除され、箱体Ｂの搬送が許容される後退位置とに前後動される。且つ、箱体Ｂのサイズに略対応して、箱体ＢのフラップＢａ…が支持される高さに上下動及びフラップＢａ…が支持される間隔に水平移動される。
【００３３】
なお、前述の予備開口機構２０の開口ユニット２１と、引上げ機構４０を構成する引上げユニット４１と、開口機構５０の開口ユット５１と、支持体７４との高さ及び間隔を、例えばネジ軸やチェーン等を手動式のハンドル又は電動式のモータにより正逆回転して、箱体Ｂ及び袋体Ｆのサイズに略対応して上下調節又は拡縮調節してもよい。
【００３４】
図示実施例は上記の如く構成するものにして、以下、袋敷設装置１による袋体Ｆの敷設動作を説明する。
【００３５】
先ず、図１、図２に示すように、供給機構１０を駆動して、ガゼット折り状態のフィルム原反ｆを予備開口機構２０と分離機構３０とに供給する。同時に、図３、図７に示すように、予備開口機構２０を駆動して、開口ユニット２１を構成する一対の挿入体２２を、フィルム原反ｆの両側縁部に形成した折込み部分（谷間部分）に垂直挿入し、フィルム原反ｆの四隅縁部を挿入体２２と押圧体２３とで挾持した後、前後の開口ユニット２１を所定の前後間隔に離間して、フィルム原反ｆの開口側縁部を予備開口する。
【００３６】
次に、図８に示すように、引上げ機構４０を駆動して、左右の引上げユニット４１を垂直降下させ、挿入体４２を、予備開口されたフィルム原反ｆの折込み部分に垂直挿入し、押圧体４３，４３を、フィルム原反ｆの折込み側外面に対向する。同時に、フィルム原反ｆの開口側縁部を、引上げユニット４１の挿入体４２と押圧体４３とで挾持した後、開口ユニット２１の挿入体２２及び押圧体２３による挾持を解除して、初期位置に復帰させる。
【００３７】
次に、左右の引上げユニット４１を垂直上昇させ、フィルム原反ｆを、箱体Ｂのサイズに略対応して所定長さに引上げた後、分離機構３０を駆動して、フィルム原反ｆを箱体Ｂと略対応するサイズに切断して、一つの袋体Ｆに分離する。
【００３８】
次に、図９、図１０に示すように、開口機構５０を駆動して、開口ユニット５１を構成する一対の保持体５２で袋体Ｆの口部Ｆａを保持した後、引上げユニット４１の挿入体４２及び押圧体４３による挾持を解除して、初期位置に復帰させる。この後、前後の開口ユニット５１を所定間隔に離間しながら敷設位置ｂ上方に移動して、袋体Ｆの口部Ｆａを所定サイズに開口する。
【００３９】
一方、図５、図６にも示すように、製函工程（図示省略）から供給される箱体Ｂを搬送コンベア７０上の敷設位置ｂに搬送した後、箱体ＢのフラップＢａ…を支持体７４…により略直角に起立した状態に支持する。
【００４０】
次に、図７にも示すように、装填機構６０を駆動して、装填ユニット６１の折返し体６２…を垂直降下させ、開口ユニット５１により開口された袋体Ｆの口部Ｆａを折返し体６２…で開口保持する。
【００４１】
この後、開口ユニット５１の保持体５２…により保持を解除した後、初期位置に復帰させる。同時に、装填ユニット６１を垂直降下して、袋体Ｆの底部を箱体Ｂ内部に挿入すると共に、袋体Ｆの口部Ｆａを外側に折返（例えば二つ折り状態又は一つ折り状態）して、図１１又は図１２に示すように、箱体ＢのフラップＢａ…に被覆する。同時に、支持体７４を初期位置に復帰する。
【００４２】
且つ、押込み体６３…を袋体Ｆ内部に挿入して、袋体Ｆ底部を箱体Ｂ内部の底面部に押圧すると共に、箱体Ｂ内部と略対応する大きさに拡張した状態に敷設セットする。また、口部Ｆａを折返さずに敷設してもよい。
【００４３】
次に、装填ユニット６１を初期位置に復帰した後、袋敷設済みの箱体Ｂを搬送コンベア７０により次工程に搬送する。以下、上述と同様にして、袋体Ｆの敷設作業を継続して行う。
【００４４】
以上のように、ガゼット折り状態に折り畳まれたフィルム原反ｆ又は袋体Ｆの折込み側四隅縁部を予備開口機構２０の挿入体２２及び押圧体２３で挾持して強制的に開口するので、フィルム原反ｆ又は袋体Ｆの内面が密着していたり、ブロッキング現象が生じる等しても、何等影響を受けることなく確実に開口することができ、開口ミスの発生率が極めて低く、袋体Ｆを開口する作業が確実に行える。
【００４５】
しかも、装填機構６０を構成するリンク機構６４のアーム６５をカム６７に当接して、折返し体６２…を離間する方向に相対移動させ、袋体Ｆの口部Ｆａを箱体ＢのフラップＢａ…に対して被覆される大きさに機械的に拡張するので、袋体Ｆの口部Ｆａを折返すミスがなく、所定の折返し状態に被覆する作業が確実に行える。
【００４６】
さらに、箱体Ｂのサイズに略対応して搬送コンベア７０の中央部７０ａを上下調節し、様々なサイズを有する箱体ＢのフラップＢａ…を常時一定の高さに支持するので、装填機構６０を構成する装填ユニット６１の降下距離及び降下時間を一定に保つことができ、収容時の動作ロスが少なくなり、装置の能力アップを図ることができる。
【００４７】
さらにまた、袋体Ｆを箱体Ｂ内部に収容するとき、装填機構６０を構成する折返し体６２…と押込み体６３…とで、袋体Ｆ側面を箱体ＢのフラップＢａ…よりも内側に収容される略垂直状態に保持するので、袋体Ｆの側面が箱体ＢのフラップＢａ…に引っ掛かるのを防止することができる。
【００４８】
加えて、箱体ＢのフラップＢａ…を、支持体７４…により略鉛直に起立した状態に支持するので、袋体Ｆの口部Ｆａが箱体ＢのフラップＢａ…に引っ掛かったり、フラップＢａ…の間に挾まったりせず、袋体Ｆを破損させることなく、スムースに敷設することができる。
【００４９】
この発明の構成と、上述の実施例との対応において、
この発明の容器は、実施例の箱体Ｂに対応し、
以下同様に、
予備開口手段は、予備開口機構２０に対応し、
開口手段は、引上げ機構４０と、開口機構５０とに対応し、
装填手段は、装填機構６０に対応し、
保持体及び袋保持手段は、折返し体６２及びその拡縮動作に対応し、
搬送手段は、搬送コンベア７０に対応するも、
この発明は、上述の実施例の構成のみに限定されるものではない。
【００５０】
上述の駆動手段や昇降手段を、例えばエアーシリンダやソレノイド、ネジ送り機構、チェーン送り機構、カム機構等で構成してもよい。
【図面の簡単な説明】
【図１】  袋敷設装置による袋体の敷設動作を示す側面図。
【図２】  袋敷設装置による箱体の搬送動作を示す正面図。
【図３】  予備開口機構による袋体の予備開口動作を示す平面図。
【図４】  開口機構による袋体の開口動作を示す平面図。
【図５】  搬送コンベアによる箱体の上下動作を示す側面図。
【図６】  搬送コンベアによる箱体の搬送状態を示す平面図。
【図７】  予備開口機構によるフィルム原反の挾持状態を示す平面図。
【図８】  予備開口機構によるフィルム原反の予備開口状態を示す平面図。
【図９】  引上げ機構によるフィルム原反又は袋体の挾持状態を示す平面図。
【図１０】  開口機構による袋体の開口状態を示す平面図。
【図１１】  袋体の口部を一つ折り状態に被覆した例を示す側面図。
【図１２】  袋体の口部を二つ折り状態に被覆した他の例を示す側面図。
【図１３】  従来例の袋体の開口方法を示す側面図。
【符号の説明】
ｆ…フィルム原反
Ｆ…袋体
Ｆａ…口部
Ｂ…箱体
１…袋敷設装置
２０…予備開口機構
２２…挿入体
２３…押圧体
３０…分離機構
４０…引上げ機構
４２…挿入体
４３…押圧体
５０…開口機構
５２…保持体
６０…装填機構
６２…折返し体
６３…押込み体
６４…リンク機構
６５…アーム
６７…カム
７０…搬送コンベア
【図１】
0004136290.tif 000002
【図２】
0004136290.tif 000003
【図３】
0004136290.tif 000004
【図４】
0004136290.tif 000005
【図５】
0004136290.tif 000006
【図６】
0004136290.tif 000007
【図７】
0004136290.tif 000008
【図８】
0004136290.tif 000009
【図９】
0004136290.tif 000010
【図１０】
0004136290.tif 000011
【図１１】
0004136290.tif 000012
【図１２】
0004136290.tif 000013
【図１３】
0004136290.tif 000014